(57)【特許請求の範囲】
【請求項１】
実質的に正方形の平面形状を有する開閉式ドーム屋根であって、正方形の対角線を境にして設けられた一対のアーチ状を呈する可動屋根と、当該可動屋根により開閉される開口部が形成された固定屋根とを備え、前記可動屋根が、前記対角線を境にして、隣り合う二辺上を水平に移動することにより、前記開口部を開閉するように構成したことを特徴とする開閉式ドーム屋根。
【請求項２】
正方形の対角線を境にして設けられた一対の平面形状が略直角三角形で且つ側面形状がアーチ状を呈する可動屋根と、当該可動屋根により開閉される開口部が形成された固定屋根とを備え、前記可動屋根が、前記対角線を境にして、隣り合う二辺に設けられた直線状の下部レールと、それらに平行して固定屋根に設けられた直線状の上部レールとに沿って水平に移動するように構成されている請求項１に記載の開閉式ドーム屋根。
【請求項３】
可動屋根の斜辺下端部側に、屋根構造体の上に屋根仕上げ面材の設けられていない開口部が形成されている請求項２に記載の開閉式ドーム屋根。
【発明の詳細な説明】
【０００１】
【発明の属する技術分野】
本発明は、例えば天然芝の野球グランドを持つドーム球場のような全天候型の運動競技場等に採用される開閉式ドーム屋根に関する。
【０００２】
【従来の技術】
天然芝の野球グランドを持つドーム球場においては、天然芝の生育上、一日４時間以上の日照時間が必要とされるところから、開閉式ドーム屋根が採用されることになり、従来から様々な開閉式ドーム屋根が提案されている。
【０００３】
しかしながら、例えば、福岡ドームとして実現している開閉式ドーム屋根や特開平１−３０４２３７号公報によって提案されている開閉式ドーム屋根は、何れもアーチ状の可動屋根が回転することによって開閉する屋根開閉方式であるから、走行装置やそれをガイドするレール等によって構成される可動屋根駆動装置が複雑化し、構築のコストが高く付くという問題点があった。
【０００４】
また、可動屋根が水平方向へ直線的に移動することによって開閉する開閉式ドーム屋根も、特開平１−２９５９４０号公報によって提案されているが、同公報に記載の屋根開閉方式では、屋根中心を通る等分割放射方向２辺と外縁辺からなる複数の可動屋根を、互いに隣接する放射方向辺が離反することなく滑動させることにより、屋根中央に正多角形の開口を形成させるようにしたもので、構造が非常に複雑であり、構築コストがかなり高く付くことになる。
【０００５】
尚、テニス場やプールのような小規模の運動競技場では、アーチ状の可動屋根を水平方向へ直線的に移動させることによって開閉する屋根開閉方式の開閉式ドーム屋根が実現しているが、開口時に備えて運動競技場の２倍もの大きな敷地が必要であったり、あるいは、敷地が小さくて済むように、開口時に、複数の可動屋根同士を互いに重なり合わせて収納することによって、可動屋根駆動装置が複雑化し、コストが高く付くという問題点があり、野球場のような大規模な運動競技場においては、アーチ状の可動屋根が直線的に開閉動作する方式の開閉式ドーム屋根は、未だ実現されていない。
【０００６】
【発明が解決しようとする課題】
本発明は、上記の点に留意してなされたものであって、その目的とするところは、可動屋根駆動装置の簡略化が可能であり、低コストで構築できる斬新な屋根開閉方式の開閉式ドーム屋根を提供することにある。
【０００７】
【課題を解決するための手段】
上記の課題を解決するために、本発明が講じた技術的手段は、次のとおりである。即ち、請求項１に記載の発明による開閉式ドーム屋根は、実質的に正方形の平面形状を有する開閉式ドーム屋根であって、正方形の対角線を境にして設けられた一対のアーチ状を呈する可動屋根と、当該可動屋根により開閉される開口部が形成された固定屋根とを備え、前記可動屋根が、前記対角線を境にして、隣り合う二辺上を水平に移動することにより、前記開口部を開閉するように構成したことを特徴としている。
【０００８】
請求項２に記載の発明による開閉式ドーム屋根は、実質的に正方形の平面形状を有する開閉式ドーム屋根であって、正方形の対角線を境にして設けられた一対の平面形状が略直角三角形で且つ側面形状がアーチ状を呈する可動屋根と、当該可動屋根により開閉される開口部が形成された固定屋根とを備え、前記可動屋根が、前記対角線を境にして、隣り合う二辺に設けられた直線状の下部レールと、それらに平行して固定屋根に設けられた直線状の上部レールとに沿って水平に移動することにより、前記開口部を開閉するように構成したことを特徴としている。
【０００９】
上記の構成によれば、平面形状が実質的に正方形の開閉式ドーム屋根であり、その対角線を挟んで設けられた一対のアーチ状を呈する可動屋根が、正方形の対角線を境にして、隣り合う二辺上を水平に移動して固定屋根の開口部を開閉するため、今までに例のない斬新な美観が得られ、しかも、可動屋根が隣り合う二辺上を水平に移動する屋根開閉方式であるから、隣り合う二辺に設けられた直線状の下部レールと、それらに平行して固定屋根に設けられた直線状の上部レールと、それらに沿って走行する走行装置等によって構成される可動屋根駆動装置の簡略化が可能であり、低コストで構築できることになる。
【００１０】
尚、本発明の開閉式ドーム屋根は、平面形状が正確な正方形に限らず、一部又は全部の隅角部に丸みを持たせた正方形であってもよく、これらを含める意味で、請求項１では、実質的に正方形の平面形状と記載している。同様に、請求項２に記載の発明における一対の可動屋根は、平面形状が正確な直角三角形に限らず、一部又は全部の隅角部に丸みを持たせた直角三角形であってもよく、これらを含める意味で、請求項２では、略直角三角形と記載している。
【００１１】
また、可動屋根としては、鉄骨トラス等によって構成される屋根構造体の上面全体に屋根板等の屋根仕上げ面材を取り付けたものの他、請求項３に記載のように、屋根の斜辺下端部側に、屋根構造体の上に屋根仕上げ面材の設けられていない開口部を形成したものや、この開口部の代わりに、屋根構造体の上に光透過性の屋根仕上げ面材を取り付けて、外部に開放されていない採光部を形成したものであってもよい。
【００１２】
【発明の実施の形態】
以下、本発明の実施の形態を図面に基づいて説明する。図１〜図８は、本発明に係る開閉式ドーム屋根を示す。この開閉式ドーム屋根は、天然芝の野球グランド１と、その周囲の観客席２を覆うドーム球場を構成するもので、図１、図３に示すように、各辺ａ，ｂ，ｃ，ｄの長さが例えば２２０メートル程度の正方形の平面形状を有しており、正方形の対角線ｅを境にして設けられた一対の平面形状が直角三角形で且つ側面形状がアーチ状を呈する可動屋根Ａ1，Ａ2と、当該可動屋根Ａ1，Ａ2により開閉される正方形の開口部３が形成された固定屋根Ｂとを備えている。４は、バックスクリーン５等が設けられている観客席の無い領域であり、観客席２を右翼側の外野席と左翼側の外野席とに区画している。
【００１３】
前記固定屋根Ｂは、隣り合う二辺ａ，ｂと平行な水平の稜線ｆ，ｇを備えている。そして、稜線ｆと辺ａとの間に位置する固定屋根部分Ｂ1は、その上に重なる可動屋根Ａ1と同じ曲面（可動屋根Ａ1の曲面と平行な曲面）を有するアーチ状に形成され、稜線ｇと辺ｂとの間に位置する固定屋根部分Ｂ2は、その上に重なる可動屋根Ａ2と同じ曲面（可動屋根Ａ2の曲面と平行な曲面）を有するアーチ状に形成されている。稜線ｆ，ｇを二辺とする平面形状が正方形の固定屋根部分Ｂ3については、他方の隣り合う二辺ｃ，ｄに設ける外壁６ａ，６ｂの上縁形状を変更することにより、例えば正方形の水平面や、稜線ｆ，ｇを二辺とする三角形状の水平面から開閉式ドーム屋根の隅角部（隣り合う二辺ｃ，ｄの交点）まで曲面を描いて下降したアーチ状に形成する等、任意の面構成を選択できるが、図示した実施の形態では、稜線ｆ，ｇの交点を最高点とし、開閉式ドーム屋根の隅角部（隣り合う二辺ｃ，ｄの交点）側程低くなるアーチ状に湾曲した対角線ｅが谷となるように凹入した二つの曲面に形成されている。そして、外壁６ａ，６ｂの上縁形状は、図５に示すように、前記稜線ｆ，ｇを最高点とするアーチ状に形成されている。
【００１４】
前記可動屋根Ａ1，Ａ2は、図３〜図５に示すように、前記対角線ｅを境にして、隣り合う二辺ａ，ｂ上を水平に移動することにより、前記開口部３を開閉するように構成してある。具体的には、隣り合う二辺ａ，ｂと重なる可動屋根Ａ1，Ａ2の水平な底辺は地表近くの低位置にあるが、可動屋根Ａ1，Ａ2の斜辺と垂辺とは、地表近くの低位置から稜線ｆ，ｇを超える高さまでアーチ状に湾曲している。そして、隣り合う二辺ａ，ｂに設けられた直線状の下部レール７ａ、７ｂと、それらに平行して固定屋根Ｂの稜線ｆ，ｇに設けられた直線状の上部レール８ａ、８ｂとに沿って水平に移動するように構成されている。
【００１５】
尚、可動屋根Ａ1，Ａ2には、図１、図７、図８に示すように、前記下部レール７ａ、７ｂ及び上部レール８ａ、８ｂによってガイドされる走行装置９…が設けられており、これらのレールと走行装置９…によって可動屋根駆動装置を構成してある
【００１６】
可動屋根Ａ1，Ａ2及び固定屋根Ｂは、何れも鉄骨トラス等からなる屋根構造体１０とその上を覆う屋根板等の屋根仕上げ面材１１とを備えているが、可動屋根Ａ1，Ａ2の斜辺下端部側には、屋根構造体１０の上に屋根仕上げ面材の設けられていない平面形状が直角三角形の開口部１２を形成してある。これは、可動屋根Ａ1，Ａ2がその移動ストローク端まで移動した全開状態において、図３に示すように、可動屋根Ａ1，Ａ2の斜辺下端部側の直角三角形状部分が固定屋根Ｂの開口部３内に張り出しているため、この張出し部分の屋根仕上げ面材を省略して、開口部３を方形状に開放させるためである。また、この開口部１２は、全閉状態において、前述した観客席の無い領域４の真上に位置する部分であるから、降雨時にも支障がない。図示しないが、前記開口部１２を形成する代わりに、可動屋根Ａ1，Ａ2の斜辺下端部側の屋根構造体部分に、透明ガラスや透明合成樹脂等の光透過性の屋根仕上げ面材を取り付けて、外部に開放されていない採光部を形成して実施してもよい。
【００１７】
上記の構成によれば、平面形状が実質的に正方形の開閉式ドーム屋根であり、その対角線ｅを挟んで設けられた一対のアーチ状を呈する可動屋根Ａ1，Ａ2が、正方形の対角線ｅを境にして、隣り合う二辺ａ，ｂ上を水平に移動して固定屋根Ｂの開口部３を開閉するため、今までに例のない斬新な美観が得られ、しかも、可動屋根Ａ1，Ａ2が隣り合う二辺ａ，ｂ上を水平に移動する屋根開閉方式であるから、隣り合う二辺ａ，ｂに設けられた直線状の下部レール７ａ、７ｂと、それらに平行して固定屋根Ｂに設けられた直線状の上部レール８ａ、８ｂと、それらに沿って走行する走行装置９…等によって構成される可動屋根駆動装置の簡略化が可能であり、低コストで構築できることになる。
【００１８】
尚、本発明の開閉式ドーム屋根は、平面形状が正確な正方形に限らず、図９に示すように、一部又は全部の隅角部に丸みを持たせた正方形であってもよい。また、可動屋根Ａ1，Ａ2は、平面形状が正確な直角三角形に限らず、図９に示すように、一部又は全部の隅角部に丸みを持たせた直角三角形であってもよい。
【００１９】
【発明の効果】
本発明は、上述した構成よりなるから、可動屋根駆動装置の簡略化が可能であり、低コストで構築できる斬新な屋根開閉方式の開閉式ドーム屋根が実現されるのである。
【図面の簡単な説明】
【図１】開閉式ドーム屋根の閉じ状態での平面図である。
【図２】開閉式ドーム屋根の閉じ状態で斜視図である。
【図３】開閉式ドーム屋根の全開状態での平面図である。
【図４】開閉式ドーム屋根の全開状態での斜視図である。
【図５】開閉式ドーム屋根の半開状態での斜視図である。
【図６】開閉式ドーム屋根の断面図である。
【図７】開閉式ドーム屋根の要部の断面図である。
【図８】開閉式ドーム屋根の要部の断面図である。
【図９】他の実施の形態を示す開閉式ドーム屋根の平面図である。
【符号の説明】
Ａ1，Ａ2…可動屋根、Ｂ…可動屋根、３…開口部。
【図１】
0004276361.tif 000002
【図２】
0004276361.tif 000003
【図３】
0004276361.tif 000004
【図４】
0004276361.tif 000005
【図５】
0004276361.tif 000006
【図６】
0004276361.tif 000007
【図７】
0004276361.tif 000008
【図８】
0004276361.tif 000009
【図９】
0004276361.tif 000010